(57)【要約】【課題】  ディスプレイ装置における輝度抑制や、余計な消費電力の増大を回避し、マルチディスプレイでのディスプレイ装置間の明るさ相違を軽減する為の技術を提供すること。【解決手段】  第２の領域内のＡＰＬ及び境界画素列の平均輝度値に対応する輝度値補正用係数を、境界画素列を構成する各画素の上記更新された色成分値に乗じる。ΔＳ＝（ＡＰＬ２×ｎ−Ａｖｅ×ｐ）／（ｎ−ｐ）を、第２の領域において境界画素列以外の各画素の色成分値から減算することで各画素の色成分値を更新する。【選択図】  図１
2012098559.tif 000002
【特許請求の範囲】
【請求項１】
１枚の画像を一方の表示装置に表示するための第１の領域と、他方の表示装置に表示するための第２の領域と、に分割する分割手段と、
前記第１の領域と前記第２の領域との境界に隣接する前記第１の領域側の画素と前記第２の領域側の画素との画素対毎に輝度値の差分を求め、求めた差分が閾値よりも小さい画素対が連続して並んでいる画素対列を特定し、特定した画素対列において前記第２の領域内の画素群を、境界画素列として特定する手段と、
前記第１の領域内の色成分値を用いてＡＰＬを求めると共に、前記第２の領域内の色成分値を用いてＡＰＬを求める手段と、
前記第２の領域内のＡＰＬを分母、前記第１の領域内のＡＰＬを分子とする分数値を計算し、計算した分数値を前記境界画素列を構成する各画素の色成分値に乗じることで該各画素の色成分値を更新する手段と、
それぞれ異なるＡＰＬ毎及びそれぞれ異なる輝度値毎に予め設定された輝度値補正用係数のうち、前記第２の領域内のＡＰＬ及び前記境界画素列の平均輝度値に対応する輝度値補正用係数を特定し、特定した輝度値補正用係数を前記境界画素列を構成する各画素の前記更新された色成分値に乗じる更新手段と、
前記第２の領域内のＡＰＬをＡＰＬ２、前記第２の領域内の総画素数をｎ、前記境界画素列を構成する画素の数をｐ、前記境界画素列を構成する各画素の前記更新手段で更新した色成分値から計算される平均輝度値をＡｖｅ、とすると、ΔＳ＝（ＡＰＬ２×ｎ−Ａｖｅ×ｐ）／（ｎ−ｐ）を計算する手段と、
前記第２の領域において前記境界画素列以外の各画素の色成分値からΔＳを減算することで該各画素の色成分値を更新する手段と
を備えることを特徴とする画像処理装置。
【請求項２】
前記更新手段は、前記平均輝度値が前記第２の領域内のＡＰＬにおける前記他方の表示装置の最大の出力輝度値以上である場合、該ＡＰＬの変わりに、該平均輝度値が該最大の出力輝度値よりも小さくなるようなＡＰＬ及び前記境界画素列の平均輝度値に対応する輝度値補正用係数を特定することを特徴とする請求項１に記載の画像処理装置。
【請求項３】
画像処理装置が行う画像処理方法であって、
前記画像処理装置の分割手段が、１枚の画像を一方の表示装置に表示するための第１の領域と、他方の表示装置に表示するための第２の領域と、に分割する分割工程と、
前記画像処理装置の特定手段が、前記第１の領域と前記第２の領域との境界に隣接する前記第１の領域側の画素と前記第２の領域側の画素との画素対毎に輝度値の差分を求め、求めた差分が閾値よりも小さい画素対が連続して並んでいる画素対列を特定し、特定した画素対列において前記第２の領域内の画素群を、境界画素列として特定する工程と、
前記画像処理装置の計算手段が、前記第１の領域内の色成分値を用いてＡＰＬを求めると共に、前記第２の領域内の色成分値を用いてＡＰＬを求める工程と、
前記画像処理装置の更新する手段が、前記第２の領域内のＡＰＬを分母、前記第１の領域内のＡＰＬを分子とする分数値を計算し、計算した分数値を前記境界画素列を構成する各画素の色成分値に乗じることで該各画素の色成分値を更新する工程と、
前記画像処理装置の更新手段が、それぞれ異なるＡＰＬ毎及びそれぞれ異なる輝度値毎に予め設定された輝度値補正用係数のうち、前記第２の領域内のＡＰＬ及び前記境界画素列の平均輝度値に対応する輝度値補正用係数を特定し、特定した輝度値補正用係数を前記境界画素列を構成する各画素の前記更新された色成分値に乗じる更新工程と、
前記画像処理装置の計算する手段が、前記第２の領域内のＡＰＬをＡＰＬ２、前記第２の領域内の総画素数をｎ、前記境界画素列を構成する画素の数をｐ、前記境界画素列を構成する各画素の前記更新工程で更新した色成分値から計算される平均輝度値をＡｖｅ、とすると、ΔＳ＝（ＡＰＬ２×ｎ−Ａｖｅ×ｐ）／（ｎ−ｐ）を計算する工程と、
前記画像処理装置の色成分値を更新する手段が、前記第２の領域において前記境界画素列以外の各画素の色成分値からΔＳを減算することで該各画素の色成分値を更新する工程と
を備えることを特徴とする画像処理方法。
【発明の詳細な説明】
【技術分野】
【０００１】
本発明は、画像表示技術に関するものである。
【背景技術】
【０００２】
近年、PDP等の薄型テレビの大画面化が進んでいる。家庭用テレビでは30〜70インチ前後の商品が流通している。特に、大画面化に適したＰＤＰでは、１００インチ以上の大画面製品が商品化されており、商用ディスプレイとして用いられている。
【０００３】
また、別の技術として、グラフィックスカードのマルチ出力化がある。この技術は、マルチディスプレイ、マルチモニタとも呼ばれ、１台のコンピュータに２台以上のディスプレイを接続し、あたかも１台の大きなディスプレイであるかのように表示させることが可能である。最近では１枚のグラフィックスカードで４台のディスプレイを表示させることができるものも登場している。このような大画面ディスプレイやグラフィックスカードを利用したマルチディスプレイ化では、２００インチを超える大画面を作ることも可能である。
【０００４】
ディスプレイは大画面であることに起因して消費電力が大きくなるが、前述のPDPや近年開発が進むFEDといった自発光型大画面ディスプレイでは、画像に応じても消費電力が大きく変化する。そこで通常、これらのディスプレイでは、消費電力を押さえる目的で、表示されるＡverageＰixelＬevel（以後ＡＰＬ：画素平均情報）に応じて電圧の最大値を制御するローディング機能を備えている。一方、マルチディスプレイにおいて入力画像を分割して表示する場合、各ディスプレイに割り当てられるＡＰＬが異なってしまう。そのため、同じ画素値であっても隣接ディスプレイ間で明るさが異なるという問題があった。
【０００５】
上記問題を解決する方法として、特許文献１にあるように、各ディスプレイのＡＰＬをディスプレイから送信し、全ディスプレイのＡＰＬを比較した後、特定のＡＰＬを全ＰＤＰに再設定する方法がある。
【０００６】
また、別の方法として特許文献２にあるように、分割した画像情報と全ディスプレイに共通なＡＰＬ情報とを同時に伝送し、全ディスプレイのＡＰＬを統一するする方法がある。
【０００７】
また、別の方法として、特許文献３にあるように、分割前後のＡＰＬを算出し、入力画像に応じて何れかのＡＰＬと分割画像とを全ＰＤＰに伝送し、全ディスプレイのＡＰＬを統一する方法がある。これらの方法によれば、隣接ディスプレイ間の明るさを一致させることが可能である。
【先行技術文献】
【特許文献】
【０００８】
【特許文献１】特開2002-006804号公報
【特許文献２】特開2003-015623号公報
【特許文献３】特開2004-226513号公報
【発明の概要】
【発明が解決しようとする課題】
【０００９】
しかしながら、前述の特許文献１乃至３の何れにおいても、実際に表示される画像情報のＡＰＬと異なるＡＰＬが設定されることがある。例えば、画像のＡＰＬよりも高くＡＰＬが設定された場合、ディスプレイのピーク輝度が低く制限され、ディスプレイの輝度を抑制してしまう。また、画像のＡＰＬよりも低くＡＰＬが設定された場合、ディスプレイのピーク輝度が高くなり、ディスプレイの消費電力が増大することが課題となる。
【００１０】
また、特許文献１の場合は、パネル側からＡＰＬを送信し返さなければならないため、パネルのコストが増加するという課題がある。特許文献２、３においても画像情報以外の情報伝送を行うため、システムのコストが増加するという課題がある。
【００１１】
本発明は以上の問題に鑑みてなされたものであり、ディスプレイ装置における輝度抑制や、余計な消費電力の増大を回避し、マルチディスプレイでのディスプレイ装置間の明るさ相違を軽減する為の技術を提供することを目的とする。
【課題を解決するための手段】
【００１２】
本発明の目的を達成するために、例えば、本発明の画像処理装置は以下の構成を備える。即ち、１枚の画像を一方の表示装置に表示するための第１の領域と、他方の表示装置に表示するための第２の領域と、に分割する分割手段と、前記第１の領域と前記第２の領域との境界に隣接する前記第１の領域側の画素と前記第２の領域側の画素との画素対毎に輝度値の差分を求め、求めた差分が閾値よりも小さい画素対が連続して並んでいる画素対列を特定し、特定した画素対列において前記第２の領域内の画素群を、境界画素列として特定する手段と、前記第１の領域内の色成分値を用いてＡＰＬを求めると共に、前記第２の領域内の色成分値を用いてＡＰＬを求める手段と、前記第２の領域内のＡＰＬを分母、前記第１の領域内のＡＰＬを分子とする分数値を計算し、計算した分数値を前記境界画素列を構成する各画素の色成分値に乗じることで該各画素の色成分値を更新する手段と、それぞれ異なるＡＰＬ毎及びそれぞれ異なる輝度値毎に予め設定された輝度値補正用係数のうち、前記第２の領域内のＡＰＬ及び前記境界画素列の平均輝度値に対応する輝度値補正用係数を特定し、特定した輝度値補正用係数を前記境界画素列を構成する各画素の前記更新された色成分値に乗じる更新手段と、前記第２の領域内のＡＰＬをＡＰＬ２、前記第２の領域内の総画素数をｎ、前記境界画素列を構成する画素の数をｐ、前記境界画素列を構成する各画素の前記更新手段で更新した色成分値から計算される平均輝度値をＡｖｅ、とすると、ΔＳ＝（ＡＰＬ２×ｎ−Ａｖｅ×ｐ）／（ｎ−ｐ）を計算する手段と、前記第２の領域において前記境界画素列以外の各画素の色成分値からΔＳを減算することで該各画素の色成分値を更新する手段とを備えることを特徴とする。
【発明の効果】
【００１３】
本発明の構成によれば、ディスプレイ装置における輝度抑制や、余計な消費電力の増大を回避し、マルチディスプレイでのディスプレイ装置間の明るさ相違を軽減することができる。
【図面の簡単な説明】
【００１４】
【図１】画像処理装置の構成例を示すブロック図。
【図２】補正処理回路１１０の構成例を示すブロック図。
【図３】画像分割部２０２の構成例を示すブロック図。
【図４】ｍ１＝ｍ２＝２の場合のＤｃｏｌ、Ｄｒｏｗ、Ｉｃｏｌ、Ｉｒｏｗの関係を示す図。
【図５】ｍ１＝ｍ２＝２の場合の変倍処理後のＤｃｏｌ、Ｄｒｏｗ、Ｉｃｏｌ、Ｉｒｏｗの関係を示す図。
【図６】連続領域抽出部２０３の構成例を示すブロック図。
【図７】分割画像１、分割画像２の一例を示す図。
【図８】テーブル情報の一例を示す図。
【図９】輝度補正部２０７の構成例を示す図。
【図１０】特徴補正量算出部２０５の構成例を示す図。
【図１１】それぞれのＡＰＬと最大の出力輝度値との関係を示す図。
【図１２】補正処理回路１１０が行う処理のフローチャート。
【発明を実施するための形態】
【００１５】
以下、添付図面を参照し、本発明の好適な実施形態について説明する。なお、以下説明する実施形態は、本発明を具体的に実施した場合の一例を示すもので、特許請求の範囲に記載の構成の具体的な実施例の１つである。
【００１６】
［第１の実施形態］
先ず、本実施形態に係る画像処理装置の構成例について、図１のブロック図を用いて説明する。本実施形態に係る画像処理装置は、外部から供給された映像信号に基づく１枚の画像（動画像の場合には各フレームの画像）を複数の領域に分割し、分割したそれぞれの分割画像を、その分割数と同じ数の表示装置に対して出力する。これにより、この複数台の表示装置でこの１枚の画像を表示する。
【００１７】
アナログ放送入力端子１０１は、地上アナログ放送、衛星アナログ放送などのアナログ放送信号を入力するための端子である。アナログ外部入力端子１０２は、Ｄ端子等、アナログ映像信号を入力するための端子である。デジタル放送入力端子１０３は、地上デジタル放送、衛星デジタル放送などのデジタル放送信号を入力するための端子である。デジタル外部入力端子１０４は、ＨＤＭＩ等、デジタル映像信号を入力するための端子である。
【００１８】
アナログチューナ１０５は、アナログ放送入力端子１０１を介して入力されたアナログ放送信号を映像信号に変換するための装置である。デジタルチューナ１０６は、デジタル放送入力端子１０３を介して入力されたデジタル放送信号を映像信号に変換するための装置である。
【００１９】
Ａ／Ｄコンバータ１０７は、アナログチューナ１０５やアナログ外部入力端子１０２を介して入力したアナログ映像信号をデジタル映像信号に変換するための装置である。デコーダ１０８は、デジタルチューナ１０６やデジタル外部入力端子１０４を介して入力されたＭＰＥＧ等の符号化技術により符号化された映像信号を、再生可能な復号映像信号に復号するための装置である。
【００２０】
セレクタ１０９は、Ａ／Ｄコンバータ１０７及びデコーダ１０８の何れか一方を選択し、選択した方から出力される映像信号を後段の補正処理回路１１０に供給する。補正処理回路１１０は、セレクタ１０９を介して供給された映像信号に対して、与えられたパラメータを基に高画質化、補正等の画像処理を施す装置である。
【００２１】
ＣＰＵ１１１は、ＲＯＭ１１２に格納されているコンピュータプログラムやデータを用いて画像処理装置全体の動作制御を行うと共に、画像処理装置を構成する上述の各部の動作制御も行う。
【００２２】
ＲＯＭ１１２には、画像処理装置全体の動作制御をＣＰＵ１１１に実行させるためのコンピュータプログラムやデータ、画像処理装置が行うものとして後述する各処理をＣＰＵ１１１に実行させるためのコンピュータプログラムやデータが格納されている。またＲＯＭ１１２には、画像処理装置の設定データ等も格納されている。ＲＯＭ１１２に格納されているコンピュータプログラムやデータは、ＣＰＵ１１１による制御に従って適宜ＲＡＭ１１３にロードされ、ＣＰＵ１１１による処理対象となる。
【００２３】
ＲＡＭ１１３は、様々なデータを一時的に記憶するためのエリアや、ＣＰＵ１１１が各種の処理を実行する際に用いるワークエリアなどを有する。即ち、ＲＡＭ１１３は、各種のエリアを適宜提供することができる。
【００２４】
操作部１１４は、画像処理装置の操作者が操作することで、各種の指示をＣＰＵ１１１に対して入力するためのものである。この操作部１１４は、現実物体としてのボタンや、パネル（ディスプレイ）１１５〜１１７に設けられるタッチパネル式の入力デバイスなどにより構成されている。
【００２５】
パネル１１５〜１１７は、補正処理回路１１０により画像処理が施された１枚の画像を表示するためのものである。例えば、１枚の画像を縦に３等分した場合、左の画像をパネル１１５に表示させ、真ん中の画像をパネル１１６に表示させ、右の画像をパネル１１７に表示させても良い。なお、図１ではパネルの数は３であるが、以下の説明から明らかとなるように、このパネルの数は複数であれば、如何なる数であっても良い。
【００２６】
次に、補正処理回路１１０の構成例について、図２のブロック図を用いて説明する。なお、以下の説明では、画像の特徴量として、周知のＡＰＬを用いるが、これ以外の特徴を用いても良いことは、以下の説明から明らかとなるであろう。
【００２７】
＜高画質変換部２０１の動作について＞
高画質変換部２０１は、セレクタ１０９から供給された映像信号に対し、ノイズリダクション、Ｉ/Ｐ変換、解像度変換、γ補正、輪郭補正、パネル依存処理等の前処理を施し、前処理が施された映像信号を後段の画像分割部２０２に送出する。
【００２８】
＜画像分割部２０２の動作について＞
画像分割部２０２は、高画質変換部２０１から供給された映像信号が表す１枚の画像を、パネルの数と同じ数の領域に分割する。図１の場合、パネルの数は３であるので、高画質変換部２０１から供給された映像信号が表す１枚の画像を３つの領域に分割する。また、領域分割の前に、この１枚の画像のサイズを適宜変倍しても良い。
【００２９】
ここで、画像分割部２０２の動作について、より詳細に説明する。画像分割部２０２は、図３のブロック図に示す如く、解像度変換部３０１と画像割り当て部３０２とを有する。
【００３０】
解像度変換部３０１は、画像処理装置に接続されているパネルの数をＣＰＵ１１１等から取得する。画像処理装置に接続されているパネルの数の計数については、接続時にＣＰＵ１１１が計数する等、様々な方法があり、これについては周知の技術であるので、これについての説明は省略する。
【００３１】
ここで、縦方向にｍ１個、横方向にｍ２個、の合計ｍ１×ｍ２個のパネルを２次元的に並べてそれぞれ画像処理装置に接続しているとする。また、それぞれのパネルが有する画面の縦の画素数をＤｃｏｌ、横の画素数をＤｒｏｗ、とする。
【００３２】
この場合、解像度変換部３０１は、高画質変換部２０１から供給される映像信号が表す画像（入力画像）の縦のサイズ（画素数）Ｉｃｏｌ、横の画素数Ｉｒｏｗが以下の式を満たすようなサイズとなるように、この入力画像の縦及び／又は横のサイズを変倍する。
【００３３】
Ｉｃｏｌ＝ｍ１×Ｄｃｏｌ
Ｉｒｏｗ＝ｍ２×Ｄｒｏｗ
この変倍には、ニアレストネイバー、バイキュービック、バイリニアをはじめとする様々な方法を採用することができる。図４に、ｍ１＝ｍ２＝２の場合におけるＤｃｏｌ、Ｄｒｏｗ、Ｉｃｏｌ、Ｉｒｏｗの関係を示す。また、図５に、ｍ１＝ｍ２＝２の場合における上記の変倍処理後のＤｃｏｌ、Ｄｒｏｗ、Ｉｃｏｌ、Ｉｒｏｗの関係を示す。このような変倍処理により、１枚の入力画像のサイズを、それぞれのパネルが有する表示画面の合計サイズに合わせることができる。次に、画像割り当て部３０２は、この変倍後の入力画像を縦にｍ１分割、横にｍ２分割することで、この入力画像をｍ１×ｍ２個の領域に分割する。
【００３４】
＜連続領域抽出部２０３の動作について＞
次に、連続領域抽出部２０３の動作について説明する。連続領域抽出部２０３は、図６のブロック図に示す如く、参照輝度算出部６０１、輝度比較部６０２、連続領域情報算出部６０３、を有する。
【００３５】
また、以下の説明では、画像分割部２０２が入力画像を２つの分割画像（領域）に分割した場合について説明するが、以下の説明の本質がこれに限るものではないことは、以下の説明より明らかとなるであろう。
【００３６】
２つの分割画像に分割したということは、画像処理装置に接続されているパネルの数が２であるということなので、一方のパネルには一方の分割画像を表示し、他方のパネルには他方の分割画像を表示することになる。以下の説明では、一方のパネルをパネル１、他方のパネルをパネル２と呼称し、パネル１に表示する分割画像を分割画像１（第１の領域）、パネル２に表示する分割画像を分割画像２（第２の領域）と呼称する。以下では、分割画像１についてはそのままパネル１に表示し、分割画像２については以下のように補正してからパネル２に表示する。
【００３７】
先ず、参照輝度算出部６０１は、分割画像１を構成する画素群のうち入力画像上で分割画像２と隣接している画素列Ｙ１について、この画素列Ｙ１を構成する各画素の輝度値を求める。それぞれの画素はＲ、Ｇ、Ｂのそれぞれの画素値（色成分値）を有しているので、以下の式を計算することで、画素の輝度値を求めることができる。
【００３８】
Ｙ＝α×Ｒ＋β×Ｇ＋γ×Ｂ
ここで、α、β、γのそれぞれは定数であり、画像の色空間がｓＲＧＢの場合には、α＝０．２１２６、β＝０．７１５２、γ＝０．０７２２である。もちろん、輝度値の計算方法はこれに限るものではない。
【００３９】
また参照輝度算出部６０１は、分割画像２を構成する画素群のうち入力画像上で分割画像１と隣接している画素列Ｙ２について、この画素列Ｙ２を構成する各画素の輝度値を同様にして求める。
【００４０】
図７には、分割画像１、分割画像２を示すと共に、それぞれの分割画像における画素列Ｙ１、Ｙ２をそれぞれグレーで示している。また、分割画像１と分割画像２とが隣接している境界部分を点線で示している。
【００４１】
輝度比較部６０２は、画素列Ｙ１を構成する画素ｘ（ｘ＝１、…、ＸＹ：ＸＹは画素列Ｙ１（Ｙ２）を構成する画素の総数）の輝度値と、画素列Ｙ２を構成する画素ｘの輝度値と、の差分（差の絶対値）ＤＦ（ｘ）を求める。そして輝度比較部６０２は、この求めた差分ＤＦ（ｘ）と、予めＲＯＭ１１２に格納されている閾値ΔＹとの大小比較を行う。この閾値ΔＹは、ウェーバー・フェヒナーに基づく輝度弁別間隔量であっても良い。また、閾値ΔＹは、ΔＹがＬａｂ色差でＡＡ級許容差（ΔＥ＝０．８〜１．６）となる量であっても良い。また、閾値ΔＹは、ΔＹがＬａｂ色差でＡ級許容差（ΔＥ＝１．６〜３．２）となる量であっても良い。また、閾値ΔＹは、ΔＹがＬａｂ色差でΔＥ＝１となる量であっても良い。
【００４２】
そして輝度比較部６０２は、ＤＦ（ｘ）＜ΔＹであれば、フラグＦＬ（ｘ）に１を設定し、ＤＦ（ｘ）≧ΔＹであれば、フラグＦＬ（ｘ）に０を設定する。このような処理を、ｘ＝１、…、ＸＹを満たすそれぞれのｘについて行う。
【００４３】
そして輝度比較部６０２は、フラグＦＬ（ｘ）＝１を満たすｘの区間を特定し、画素列Ｙ２を構成する各画素のうちこの特定した区間内のｘが示す位置の画素から成る画素列を、境界画素列として特定する。
【００４４】
即ち、ここまで輝度比較部６０２が行ってきた処理とは、換言すれば次のような処理である。先ず、第１の領域と第２の領域との境界に隣接する第１の領域側の画素と第２の領域側の画素との画素対毎に輝度値の差分ＤＦ（ｘ）を求める。そして、この求めた差分ＤＦ（ｘ）が閾値ΔＹよりも小さい画素対が連続して並んでいる画素対列を特定する。そして、この特定した画素対列において第２の領域内の画素群を、境界画素列として特定する。連続領域情報算出部６０３は、境界画素列を構成する各画素の輝度値を用いて平均輝度値を算出する。
【００４５】
＜特徴補正量算出部２０５の動作について＞
次に、特徴補正量算出部２０５の動作について説明する。特徴補正量算出部２０５は、図１０のブロック図に示す如く、特徴量算出部１００１、特徴補正量探索部１００２、を有する。
【００４６】
特徴量算出部１００１は、分割画像１内（第１の領域内）の各画素のＧの画素値の平均値を、分割画像１のＡＰＬ（ＡＰＬ１）として計算する。同様に、特徴量算出部１００１は、分割画像２内（第２の領域内）の各画素のＧの画素値の平均値を、分割画像２のＡＰＬ（ＡＰＬ２）として計算する。もちろん、ＡＰＬの計算方法はこれに限るものではない。
【００４７】
特徴補正量探索部１００２は先ず、ディスプレイ特性情報ＤＢ２０４に格納されている図８に示すテーブル情報を取得する。図８のテーブル情報は、それぞれ異なるＡＰＬ毎に、各入力輝度値に対する出力輝度値が登録されている。例えば、ＡＰＬ＝１６の場合、入力輝度値として信号値＝１６が入力されても、０．２２の輝度値しか出力されない。また、最大の入力輝度値として信号値＝２５５が入力されても、１００の輝度値しか出力されない。それぞれのＡＰＬと最大の出力輝度値との関係を図１１に示す。このようなテーブル情報は、パネル２のディスプレイ特性情報として予め作成され、ディスプレイ特性情報ＤＢ２０４に格納されているものである。
【００４８】
然るに特徴補正量探索部１００２は、計算したＡＰＬ２について最大の出力輝度値をこの図８のテーブル情報から特定し、連続領域情報算出部６０３が計算した平均輝度値がこの最大の出力輝度値よりも小さいか否かを判断する。小さい場合、特徴補正量探索部１００２は、ＡＰＬ１を分母、ＡＰＬ２を分子とする分数値Ｇａｉｎ（＝ＡＰＬ２／ＡＰＬ１）を計算する。
【００４９】
なお、連続領域情報算出部６０３が計算した平均輝度値が最大の出力輝度値以上である場合、特徴補正量探索部１００２は、平均輝度値が最大の出力輝度値よりも小さくなるようなＡＰＬを図８のテーブル情報から取得してＡＰＬ２とし、Ｇａｉｎを計算する。
【００５０】
＜特徴補正部２０６の動作について＞
次に、特徴補正部２０６の動作について説明する。特徴補正部２０６は、分数値Ｇａｉｎを、境界画素列（連続領域情報）を構成する各画素のＲ、Ｇ、Ｂのそれぞれの画素値に乗じることで、境界画素列を構成する各画素のＲ、Ｇ、Ｂの画素値を更新する。
【００５１】
＜輝度補正部２０７の動作について＞
次に、輝度補正部２０７の動作について説明する。輝度補正部２０７は、図９のブロック図に示す如く、連続領域判定部１３０１、第１補正部１３０２、特徴維持パラメータ算出部１３０３、第２補正部１３０４、を有する。
【００５２】
連続領域判定部１３０１は、分割画像２を構成する各画素を参照し、境界画素列に属しているが否かを判断する。境界画素列を構成する各画素の位置は上記の処理により分かるので、分割画像２を構成する各画素の位置と、境界画素列を構成する各画素の位置とを比較すれば、この判断処理は達成できる。
【００５３】
ここで、分割画像２内で現在参照している参照画素が境界画素列を構成する画素である場合には、この参照画素のＲ、Ｇ、Ｂの画素値を第１補正部１３０２に送出する。一方、分割画像２内で現在参照している参照画素が境界画素列を構成する画素ではない場合には、この参照画素のＲ、Ｇ、Ｂの画素値を第２補正部１３０４に送出する。
【００５４】
第１補正部１３０２は、それぞれ異なるＡＰＬ毎及びそれぞれ異なる輝度値毎に予め設定された輝度値補正用係数のうち、ＡＰＬ２及び境界画素列の平均輝度値に対応する輝度値補正用係数を特定する。「それぞれ異なるＡＰＬ毎及びそれぞれ異なる輝度値毎に予め設定された輝度値補正用係数」は、ＲＯＭ１１２等のメモリに予め登録されているものである。そして第１補正部１３０２は、この特定した輝度値補正用係数を、連続領域判定部１３０１から受けたＲ、Ｇ、Ｂの画素値にそれぞれ乗じることで、このＲ、Ｇ、Ｂの画素値を更新する。
【００５５】
特徴維持パラメータ算出部１３０３は、分割画像２内の総画素数をｎ、境界画素列を構成する画素の数をｐ、境界画素列を構成する各画素の（第１補正部１３０２により）更新した色成分値から計算される平均輝度値をＡｖｅ、として、以下の式を計算する。
【００５６】
ΔＳ＝（ＡＰＬ２×ｎ−Ａｖｅ×ｐ）／（ｎ−ｐ）
第２補正部１３０４は、分割画像２において境界画素列以外の各画素のＲ、Ｇ、Ｂの画素値からΔＳを減算する。このように、第１補正部１３０２により境界画素列のＲ、Ｇ、Ｂの画素値が補正され、第２補正部１３０４により境界画素列以外の画素のＲ、Ｇ、Ｂの画素値が補正された分割画像２を得ることができる。然るに補正処理回路１１０は、このようにして補正した分割画像２を、パネル２に対して出力することになる。
【００５７】
以上の説明により、本実施形態によれば、全てのパネルの特徴量を特定の状態に固定する必要が無く、必要に応じて各パネルの特徴量の変更を最小限に押さえてパネル間の輝度補正を行う。そのためパネルの性能抑制や、消費電力の増加を抑えてパネル間の明るさ相違を補正できる。さらに、画像情報の伝送のみを行うため、システムコストを増加することなくパネル間の明るさ相違の補正が可能である。
【００５８】
以上説明した各処理について、図１２のフローチャートを用いて説明する。各ステップにおける処理は上記の通りであるので、ここでは各ステップにおける処理については簡単に説明する。なお、図１２のフローチャートに従った処理を実行する各主体は、ＣＰＵ１１１による動作制御に基づいて動作する。
【００５９】
先ず、ステップＳ１２０１では、高画質変換部２０１は、セレクタ１０９から供給された映像信号に対して上記の通りの各種の前処理を施し、後段の画像分割部２０２に送出する。
【００６０】
ステップＳ１２０２では、画像分割部２０２は、高画質変換部２０１から供給された映像信号が表す１枚の画像のサイズを、パネル１及びパネル２が有する表示画面の合計サイズに合わせるべく、この画像の変倍処理を行う。そして画像分割部２０２は、変倍した画像を、分割画像１と分割画像２とに分割する。
【００６１】
ステップＳ１２０３では、連続領域抽出部２０３は、分割画像２について境界画素列を特定する。また、連続領域抽出部２０３は、境界画素列を構成する各画素の輝度値を用いて平均輝度値を算出する。ステップＳ１２０４では、特徴補正量算出部２０５は、ＡＰＬ１及びＡＰＬ２を計算する。更に特徴補正量算出部２０５は、上記の分数値Ｇａｉｎを計算する。
【００６２】
ステップＳ１２０５では、特徴補正部２０６は、分数値Ｇａｉｎを、境界画素列を構成する各画素のＲ、Ｇ、Ｂのそれぞれの画素値に乗じることで、境界画素列を構成する各画素のＲ、Ｇ、Ｂの画素値を更新する。
【００６３】
ステップＳ１２０６では輝度補正部２０７は、輝度値補正用係数を乗じることで境界画素列を構成する画素のＲ、Ｇ、Ｂの画素値を補正する。ステップＳ１２０７では輝度補正部２０７は上記のΔＳを計算し、このΔＳを用いて、分割画像２において境界画素列以外の画素のＲ、Ｇ、Ｂの画素値を補正する。
【００６４】
［第２の実施形態］
図１に示した補正処理回路１１０を構成する各部はハードウェアで構成しても良いが、一部若しくは全部をコンピュータプログラムとして実装しても良い。この場合、このコンピュータプログラムは、ＲＯＭ１１２等のメモリに格納されることになる。そして、ＣＰＵ１１１がこのコンピュータプログラムを実行することで、対応する機能部の機能を実現することができる。
【００６５】
（その他の実施例）
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【図１】
2012098559.tif 000003
【図２】
2012098559.tif 000004
【図３】
2012098559.tif 000005
【図４】
2012098559.tif 000006
【図５】
2012098559.tif 000007
【図６】
2012098559.tif 000008
【図７】
2012098559.tif 000009
【図８】
2012098559.tif 000010
【図９】
2012098559.tif 000011
【図１０】
2012098559.tif 000012
【図１１】
2012098559.tif 000013
【図１２】
2012098559.tif 000014